(57)【要約】【課題】  潤滑効果を長時期に維持することができ、貯油装置のナットへの脱着作業が快速で容易になり、且つ貯油装置が独立に交換できる。【解決手段】  ネジ軸と、ナットと、貯油装置と、連接具とを含む交換可能な貯油装置付きボールねじにおいて、前記ネジ軸は、その周面に外ネジを持つロッドであり、前記ナットは、前記ネジ軸に嵌められ、その内周面には前記ネジ軸にある外ネジに合うための内ネジが設けてあり、前記外ネジと内ネジの間には転がり体が転がり、且つその内部には転がり体を回流して循環させるための回流ユニットが設けてあり、前記ナットがネジ軸に対して相対に移動自在であり、且つ前記ナットには注油口が設けてあり、前記貯油装置は、オイル出口と、潤滑油を貯蔵するための貯油空間とを有し、前記連接具は、その内部にはオイル通過用孔が設けてあることを特徴とする交換可能な貯油装置付きボールねじ。【選択図】    図１
2006234040.tif 000002
【特許請求の範囲】
【請求項１】
ネジ軸と、ナットと、貯油装置と、連接具とを含む交換可能な貯油装置付きボールねじにおいて、
前記ネジ軸は、その周面に外ネジを持つロッドであり、
前記ナットは、前記ネジ軸に嵌められ、その内周面には前記ネジ軸にある外ネジに合うための内ネジが設けてあり、前記外ネジと内ネジの間には転がり体が転がり、且つその内部には転がり体を回流して循環させるための回流ユニットが設けてあり、前記ナットがネジ軸に対して相対に移動自在であり、且つ前記ナットには注油口が設けてあり、
前記貯油装置は、オイル出口と、潤滑油を貯蔵するための貯油空間とを有し、前記オイル出口が貯油空間と連通し、
前記連接具は、その内部にはオイル通過用孔が設けてあり、前記オイル通過用孔の両端には一つの連接部がそれぞれ設けてあり、一端の連接部が前記ナットにある注油口と連接し、他端の連接部が前記貯油装置にあるオイル出口と連接し、且つ前記連接部は雄構造と雌構造の係合による快速係合構造であることを特徴とする、
交換可能な貯油装置付きボールねじ。
【請求項２】
前記連接具は、オイル供給ユニット又はナットと一体に成形されることを特徴とする、請求項１に記載の交換可能な貯油装置付きボールねじ。
【請求項３】
前記連接具にあるオイル通過用孔の一端、又は貯油装置のオイル出口がフィルムに密封され、押出しピンで前記フィルムを破壊すると、前記連接具にあるオイル通過用孔の一端、又は貯油装置のオイル出口が油路と連通にあることを特徴とする、請求項１に記載の交換可能な貯油装置付きボールねじ。
【請求項４】
前記連接具にあるオイル通過用孔の一端、又は貯油装置のオイル出口がボール体に密封され、押出しピンで前記ボール体を押出すと、前記連接具にあるオイル通過用孔の一端、又は貯油装置のオイル出口が油路と連通にあることを特徴とする、請求項１に記載の交換可能な貯油装置付きボールねじ。
【請求項５】
前記ナットには、貯油装置と快速に連接するために、係り鉤または合い溝が設けてあることを特徴とする、請求項１に記載の交換可能な貯油装置付きボールねじ。
【発明の詳細な説明】
【技術分野】
【０００１】
本発明は、ボールねじに快速に脱着可能な貯油装置により、ボールねじを自動で継続に潤滑することができる交換可能な貯油装置付きボールねじに関するものである。
【背景技術】
【０００２】
ボールねじはナットとネジ軸を相対に移動させることにより機械を作動する部材であり、ナットは、ナットとネジ軸の間にあるスチール玉の転がりにより、ナットとネジ軸が相対に移動することができるので、ボールねじの機械伝動効率がより良い。しかしながら、ボールねじが長時期に潤滑しないと、ナットとネジ軸の間の摩擦は大きくなり、ボールねじの磨耗が加速する。だから、ボールねじは自動で継続な潤滑が必要であり、なお、目下の自動で継続な潤滑方式は二種類あり、その一つは、潤滑システムをナットの両端に取り付けられ、潤滑油が潤滑システム内部に貯蔵され、オイル吸引物質により潤滑油をネジ軸の表面に塗布しネジ軸を潤滑する方式であり、その二つは、含油物質でスクレパーを作製して、ナットの両端にスクレパーを取付けて、潤滑油を含油物質に注入した後、ネジ軸の表面に含油物質を接触させて、転がり体がネジ軸にある螺旋を通過するときに、転がり体が潤滑される方式である。
【発明の開示】
【発明が解決しようとする課題】
【０００３】
しかしながら、これは次のような欠点があった。
（１）上記の二つの潤滑方式はネジ軸の表面を直接に潤滑し、転がり体が潤滑油を付けた螺旋に接触しないと、転がり体が潤滑されない、これはいわゆる間接潤滑方式であり、より大量の潤滑油を使用しないと、転がり体が有効に潤滑できなく、潤滑油が無駄にし易くて、潤滑効果も不均一であった。
【０００４】
（２）上記の二つの潤滑方式は、貯蔵できる潤滑油の油量が少ないので、ネジ軸を潤滑できる期間が長くないが、ボールねじの使用寿命は５年または１０年にもなり、ボールねじをある期間に使用すると、潤滑不良による損壊がよくあった。
【０００５】
（３）ボールねじの潤滑システムの固定方式は、締結により取付けるので、脱着作業が極めて不便であり、潤滑システムの更新作業はナットを分解することも必要であるので、ボールねじの内部に貯蔵される潤滑油がなくなるときには、潤滑システムを快速に更新することができなく、ボールねじ全体を更新することが必要になった。
【０００６】
本発明の主な目的は、潤滑油の貯油量を大幅に増加することにより、潤滑効果を長時期に維持することができ、且つ貯油装置のナットへの脱着作業が快速で容易になる交換可能な貯油装置付きボールねじを提供する。
【０００７】
本発明の次な目的は、貯油装置が独立に交換できる交換可能な貯油装置付きボールねじを提供する。
【課題を解決するための手段】
【０００８】
上記目的を達成するためになされた本願の第１発明は、ネジ軸と、ナットと、貯油装置と、連接具とを含む交換可能な貯油装置付きボールねじにおいて、前記ネジ軸は、その周面に外ネジを持つロッドであり、前記ナットは、前記ネジ軸に嵌められ、その内周面には前記ネジ軸にある外ネジに合うための内ネジが設けてあり、前記外ネジと内ネジの間には転がり体が転がり、且つその内部には転がり体を回流して循環させるための回流ユニットが設けてあり、前記ナットがネジ軸に対して相対に移動自在であり、且つ前記ナットには注油口が設けてあり、前記貯油装置は、オイル出口と、潤滑油を貯蔵するための貯油空間とを有し、前記オイル出口が貯油空間と連通し、前記連接具は、その内部にはオイル通過用孔が設けてあり、前記オイル通過用孔の両端には一つの連接部がそれぞれ設けてあり、一端の連接部が前記ナットにある注油口と連接し、他端の連接部が前記貯油装置にあるオイル出口と連接し、且つ前記連接部は雄構造と雌構造の係合による快速係合構造であることを特徴とする交換可能な貯油装置付きボールねじであることを要旨としている。
【０００９】
本願の第２発明では、前記連接具は、オイル供給ユニット又はナットと一体に成形されることを特徴とする本願の第１発明に記載の交換可能な貯油装置付きボールねじであることを要旨としている。
【００１０】
本願の第３発明では、前記連接具にあるオイル通過用孔の一端、又は貯油装置のオイル出口がフィルムに密封され、押出しピンで前記フィルムを破壊すると、前記連接具にあるオイル通過用孔の一端、又は貯油装置のオイル出口が油路と連通にあることを特徴とする本願の第１発明に記載の交換可能な貯油装置付きボールねじであることを要旨としている。
【００１１】
本願の第４発明では、前記連接具にあるオイル通過用孔の一端、又は貯油装置のオイル出口がボール体に密封され、押出しピンで前記ボール体を押出すと、前記連接具にあるオイル通過用孔の一端、又は貯油装置のオイル出口が油路と連通にあることを特徴とする本願の第１発明に記載の交換可能な貯油装置付きボールねじであることを要旨としている。
【００１２】
本願の第５発明では、前記ナットには、貯油装置と快速に連接するために、係り鉤または合い溝が設けてあることを特徴とする本願の第１発明に記載の交換可能な貯油装置付きボールねじであることを要旨としている。
【発明の効果】
【００１３】
本発明に係る交換可能な貯油装置付きボールねじによれば、次のような効果がある。
（１）潤滑油の貯油量を大幅に増加することにより、潤滑効果を長時期に維持することができ、且つ貯油装置のナットへの脱着作業が快速で容易になる。
【００１４】
（２）貯油装置が独立に交換できる。
【発明を実施するための最良の形態】
【００１５】
以下、添付図面を参照して本発明の好適な実施の形態を詳細に説明する。
【実施例】
【００１６】
図１は本発明に係る実施例１の斜視図であり、ネジ軸１０は、その周面に外ネジを持つロッドであり、なお、ナット２０が前記ネジ軸１０に嵌合してあり、前記ナット２０には貯油装置３０をナット２０の両端面に係止するための係り鉤２１が設けてあり、これにより、貯油装置３０内部にある潤滑油がナット２０に自動的に進入することができ、潤滑効果を自動的に維持することができる。前記係り鉤２１は、リング状に設計してもよく、又は二つの係合点に設計してもいい。
【００１７】
図２は本発明に係る実施例２の斜視図であり、図３は図２における貯油装置の斜視図である。ナット２０に合うために、貯油装置３０はＵ字形を呈し、なお、前記貯油装置３０には係り鉤３１とオイル出口３２とが設けてあり、ナット２０の外周には合い溝２２が設けてあり、ナット２０の注油口（図示せず）には一つの連接具４０が設置してあり、これにより、係り鉤３１が合い溝２２に合い、連接具４０がオイル出口３２に合い、なお、貯油装置３０はナット２０の端面に直接で快速に固定できる。
【００１８】
図４は本発明に係る実施例３の斜視図である。本実施例では、ナット２０に合うために、貯油装置３０はコ字形を呈し、なお、前記貯油装置３０にも係り鉤３１とオイル出口（図示せず）とが設けてあり、ナット２０にある注油口（図示せず）には連接具４０が設けてあり、だが、係り鉤３１に合うための合い溝２２がナット２０の端面の内径に設けられ、これにより、貯油装置３０はナット２０の端面に直接かつ快速に固定できる。本実施例では、係り鉤３１と合い溝２２との設計により、貯油装置３０をナット２０の端面に固定された後、係合構造が外部から見えないので、全体が綺麗になる。
【００１９】
図５は本発明に係る連接具の数種の実施例を示す斜視図である。これらは、連接具４０が全てオイル通過用孔４２を有し、前記オイル通過用孔４２の両端には連接部４１，４３がそれぞれ設けてあり、これにより、その一端の連接部４１又は４３がナット（図示せず）にある注油口に連接し、他端の連接部４３又は４１が貯油装置（図示せず）にあるオイル出口に連接する。図５（Ａ）における連接具４０は、その一端の連接部４１が係合部であり、前記係合部は、溝構造と合うための突出構造であり、ナット又は貯油装置に快速に係合することができ、なお、前記連接具４０の他端にある連接部４３がおねじであり、ねじ込むことにより固定することができる。図５（Ｂ）における連接具４０は、連接部４１，４３が全ておねじであり、だが、係合部は、突出構造と合うめねじ構造であり、ナット又は貯油装置に快速に係合することができる。図５（Ｃ）における連接具４０は、その両端にある連接部４１，４３が全て係合部であり、且つ前記係合部は、全て突出構造であり、係合溝４１１，４３１が設けてあり、これにより、連接具４０の両端はナット又は貯油装置に快速に係合することができる。図５（Ｄ）における連接具４０は、その両端にある連接部４１，４３も全て係合部であり、その一端の連接部４１が係合溝４１１を持ち、溝構造である係合部であり、前記連接具４０の他端の連接部４１が係合溝４３１を持ち、突出構造である係合部であり、これにより、連接具４０の両端はナット又は貯油装置に快速に係合することができる。
【００２０】
図６は本発明に係る貯油装置の数種の実施例を示す斜視図である。図６（Ａ）における貯油装置５０は、部品で組合った構造であり、貯油本体５１とオイルシール用蓋５２とから構成されたものであり、前記貯油本体５１とオイルシール用蓋５２とが潤滑油を貯蔵するための貯油空間（図示せず）を形成し、前記貯油装置５０には貯油空間と連通するオイル出口５３が設けてあり、且つ前記貯油装置５０には、快速に係合し固定することができる対称な係り鉤５４が設けてある。図６（Ｂ）における貯油装置６０は、一体成形の構造であり、貯油空間（図示せず）と連通するオイル出口５３が設けてあり、且つ貯油装置６０をナット（図示せず）に快速に係合し固定するために、係りプラグ６２が設けてあり、前記貯油装置６０はＣ字形を呈する。
【００２１】
図７は本発明に係る連接具と貯油装置を一体成形にしたものを示す斜視図である。本実施例では、連接具と貯油装置が一体成形の構造であり、すなわち、貯油装置は、潤滑油を貯蔵し供給する機能を持つと共に、連接具の係合機能および油路機能も有し、これにより、貯油装置はナットに一回で係合し固定することができ、貯油装置の脱着作業が便利になる。図７における貯油装置７０には快速に係合し固定するための係り鉤７１が設けてあり、且つ貯油装置７０には連接具７２が一体に設けてあり、貯油装置７０の貯油空間と連通するオイル出口は油路と連通する機能を持つオイル通過用孔７２１とすることもでき、貯油空間内にある潤滑の漏れ出しを防止するために、前記オイル通過用孔７２１の一端がフィルム７３に密封され、且つ前記オイル通過用孔７２１の一端にある連接部は快速に係合できる係合部７２２に設計される。
【００２２】
図８は本発明に係る貯油装置を数種の連接具に合ったことを示す断面図である。図８（Ａ）と図８（Ｂ）における実施例は、一つのボール体８０によって貯油装置３０の貯油空間３３と連通するオイル出口３２を閉鎖し、なお、貯油装置８０のオイル出口３２は突出構造を呈し、連接具４０にあるオイル通過用孔４２の一端の連接部は溝構造の係合部であり、且つ前記係合部には押出しピンを有し、これにより、貯油装置３０を連接具４０に連接するときに、前記ボール体８０が押出され、貯油装置３０にあるオイル出口３２と、連接具４０にあるオイル通過用孔４２が連通状態になる。図８（Ｃ）と図８（Ｄ）における実施例は、一つのばねプラグ８１によって貯油装置３０の貯油空間３３と連通するオイル出口３２を閉鎖し、なお、貯油装置３０のオイル出口３２は溝構造を呈し、連接具４０にある連接部４１が突出構造を呈する係合部であり、前記係合部は一つの押出しピンであり、これにより、貯油装置３０を連接具４０に連接するときに、前記ばねプラグ８１が押出され、貯油装置３０と連接具４０が連通状態になる。図８（Ｅ）と図８（Ｆ）における実施例は、フィルム８２によって貯油装置３０の貯油空間３３と連通するオイル出口３２を密封し、なお、貯油装置３０のオイル出口３２は溝構造を呈し、連接具４０にある連接部４１が突出構造を呈する係合部であり、前記係合部は一つの押出しピンであり、これにより、貯油装置３０を連接具４０に連接するときに、前記フィルム８２が破壊され、貯油装置３０と連接具４０が連通状態になる。
【図面の簡単な説明】
【００２３】
【図１】本発明に係る実施例１の斜視図である。
【図２】本発明に係る実施例２の斜視図である。
【図３】図２における貯油装置の斜視図である。
【図４】本発明に係る実施例３の斜視図である。
【図５】本発明に係る連接具の数種の実施例を示す斜視図である。
【図６】本発明に係る貯油装置の数種の実施例を示す斜視図である。
【図７】本発明に係る連接具と貯油装置を一体成形にしたものを示す斜視図である。
【図８】本発明に係る貯油装置を数種の連接具に合ったことを示す断面図である。
【符号の説明】
【００２４】
１０      ネジ軸                      ２０      ナット
２１      係り鉤                      ２２      合い溝
３０      貯油装置                    ３１      係り鉤
３２      オイル出口                  ３３      貯油空間
４０      連接具                      ４１      連接部
４１１    係合溝                      ４２      オイル通過用孔
４３      連接部                      ４３１    係合溝
５０      貯油装置                    ５１      貯油本体
５２      オイルシール用蓋            ５３      オイル出口
５４      係り鉤                      ６０      貯油装置
６１      オイル出口                  ６２      係りプラグ
７０      貯油装置                    ７１      係り鉤
７２      連接具                      ７２１    オイル通過用孔
７２２    係合部                      ７３      フィルム
８０      ボール体                    ８１      ばねプラグ
８２      フィルム
【図１】
2006234040.tif 000003
【図２】
2006234040.tif 000004
【図３】
2006234040.tif 000005
【図４】
2006234040.tif 000006
【図５】
2006234040.tif 000007
【図６】
2006234040.tif 000008
【図７】
2006234040.tif 000009
【図８】
2006234040.tif 000010